(57)【要約】      （修正有）【課題】従来、販売する焼き鳥串の本数はまちまちであり、一般的には２５本前後であるが、宴会等の場合は、５０本、７５本、１００本と本数は多くなるが、そのそれぞれに合致した箱を用意することは保管場所のスペース確保、また複数種類の大きさの箱を用意しなければ対応できないという実用上の問題があった。【解決手段】中空状四側板で胴部を形成し、四側板の対向する２片に罫線を介して連続して略中央部に切り欠き部を設けた底板を形成し、他の対向する２片に罫線を介して底用フラップを設けて罫線で折り曲げ、切り欠き部の両側に形成した突出片と底用フラップを挿し込み、組み付け底を形成し、さらに蓋板１３は四側板に切り抜き部材１９と取手部１８を形成し、取手部１８に係止フラップ２３を形成し、組み付ける際に、係止フラップが挿入できる係止片２２に切り目を形成した焼き鳥箱。【選択図】図４
2012166813.tif 000002
【特許請求の範囲】
【請求項１】
１枚の板紙、またはプラスチック板によって四側板、底板、蓋板、取手部を形成し、折り曲げ、嵌め合わせて結合して形成する焼き鳥箱において、一端片に接着剤で貼着できるように結合片を設け、罫線を介して折り曲げ矩形状にして中空状四側板で胴部を形成し、前記四側板の一方の対向する四側板の２片に折り曲げ用罫線を介して連続して略矩形のフラップを形成し、該フラップの略中央部に略台形の切り欠き部を設けた底板を形成し、他の対向する四側板の２片に折り曲げ用罫線を介して略台形の底用フラップを連続して設けて罫線で折り曲げ、前記切り欠き部の両側に形成した突出片を前記略台形の底用フラップに挿し込み、組み付けることにより底を形成し、さらに蓋板は前記四側板に連続して一部切り抜いて形成した切り抜き部材と取手部を形成し、該取手部には両側に係止フラップを形成し、折り曲げ組み付ける際に、前記係止フラップが挿入係止できるように、前記略台形の底用フラップと四側板を挟んで対向する部位に設けた略台形の係止片に切り目を形成し、該切れ目に前記係止フラップを挿入して固定することを特徴とする焼き鳥箱。
【請求項２】
取手部に形成した切り抜き部材の一部が蓋板と両側で連設され、中央部に切り込み部を形成し、焼き鳥箱を重ねる際、下段の焼き鳥箱の切り抜き部材を上段の焼き鳥箱の四側板上部に形成した切れ目に挿入し、さらに上段の焼き鳥箱の四側板上部に形成した係止片を折り曲げ、下段の焼き鳥箱の蓋板を立設し、該蓋板に連続して設けた取手部に形成した切り込み部に挿入係止することで、重ねることができることを特徴とする請求項１に記載の焼き鳥箱。
【発明の詳細な説明】
【技術分野】
【０００１】
１枚の紙製またはプラスチック製のブランク、例えば紙製段ボールを折り曲げ、組み立てて形成され、１ヶの箱でも、２ヶ、３ヶと結合でき、積み重ねでき、２段・３段と重ねることができる焼き鳥箱に関するものである。
【背景技術】
【０００２】
段ボール等を使用した組立式の箱の従来技術としては、板紙または段ボールからなり全体が中空の箱体の少なくとも１の面において、平面な２枚の板紙または段ボールの両端を嵌め合わせて結合した組み立て式箱ケースにおいて、該両端の板紙または段ボールのうち、一方側板紙または段ボールは端縁に突出した長さ、幅の差し込み片と該差し込み片の基部から離隔した位置に、前記端縁に平行である長さのスリットを有する構成とし、他方側板紙または段ボールは端縁から離隔した位置に、端縁に平行な折り線を中央部分を除く中抜き直線状に形成し、該折り線を軸として開閉する軸部の長さである扉形状を、前記折り線の形成されない中抜き部の上端と下端を始点として打ち抜きした構成とし、前記差し込み片を前記他方側板紙または段ボールの裏面側から前記扉形状の打ち抜き跡部に差し込みし、扉形状の先端を前記一方側板紙または段ボールの前記スリットに表面側から折り線部分まで差し込みして結合する構造とした組み立て式箱ケース（例えば、特許文献１参照）が存在している。
【先行技術文献】
【特許文献】
【０００３】
【特許文献１】特開２０１０−２４１４３３号公報（特許請求の範囲の欄、発明の詳細な説明の欄、及び図１〜図１７を参照）
【発明の概要】
【発明が解決しようとする課題】
【０００４】
従来、組み立てが簡単で、軽量かつ適切な強度を有する板紙の組み立て構造、箱ケースは先行技術文献で示すように存在していた。
ところが、焼き鳥の箱の場合、販売する焼き鳥串の本数は状況によってまちまちであり、一般的には２５本前後であるが、宴会等の場合は、５０本、７５本、１００本と本数は多くなるが、そのそれぞれに合致した箱を用意することは保管場所のスペース確保、また複数種類の大きさの箱を用意しなければ対応できないという実用上の問題があった。これはコスト、管理上、極めてマイナス面になりうる問題である。
【課題を解決するための手段】
【０００５】
本発明の第１発明は、請求項１に記載した通りの焼き鳥箱であり、次のようなものである。
１枚の板紙、またはプラスチック板によって四側板、底板、蓋板、取手部を形成し、折り曲げ、嵌め合わせて結合して形成する焼き鳥箱において、一端片に接着剤で貼着できるように結合片を設け、罫線を介して折り曲げ矩形状にして中空状四側板で胴部を形成し、前記四側板の一方の対向する四側板の２片に折り曲げ用罫線を介して連続して略矩形のフラップを形成し、該フラップの略中央部に略台形の切り欠き部を設けた底板を形成し、他の対向する四側板の２片に折り曲げ用罫線を介して略台形の底用フラップを連続して設けて罫線で折り曲げ、前記切り欠き部の両側に形成した突出片を前記略台形の底用フラップに挿し込み、組み付けることにより底を形成し、さらに蓋板は前記四側板に連続して一部切り抜いて形成した切り抜き部材と取手部を形成し、該取手部には両側に係止フラップを形成し、折り曲げ組み付ける際に、前記係止フラップが挿入係止できるように、前記略台形の底用フラップと四側板を挟んで対向する部位に設けた略台形の係止片に切り目を形成し、該切れ目に前記係止フラップを挿入して固定する構成である。
【０００６】
本発明の第２発明は、請求項２に記載した通りの焼き鳥箱であり、次のようなものである。
請求項１に記載した発明に加えて、取手部に形成した切り抜き部材の一部が蓋板と両側で連設され、中央部に切り込み部を形成し、焼き鳥箱を重ねる際、下段の焼き鳥箱の切り抜き部材を上段の焼き鳥箱の四側板上部に形成した切れ目に挿入し、さらに上段の焼き鳥箱の四側板上部に形成した係止片を折り曲げ、下段の焼き鳥箱の蓋板を立設し、該蓋板に連続して設けた取手部に形成した切り込み部に挿入係止することで、重ねることができる構成である。
【発明の効果】
【０００７】
本発明に係る焼き鳥箱は、上記説明のような構成を有するので、以下に記載する効果を奏する。
（１）要望される販売数に合わせて、同一の折り畳み箱を２段、３段と重ね結合し、しかも持ち運び易いように取っ手を有し、さらに外観上もケーキ等の容器に類似していて、従来の焼き鳥を入れる容器に比べてデザイン性も良いものである。
（２）簡単に組み立てることができ、しかも一種類の箱で対応できるので、コストが低廉で、箱の保管管理が簡単である。
（３）味付けの違う焼き鳥や付け合わせのキャベツなどの別の商品、例えばタレ味と塩味の焼き鳥を別々の箱、例えばタレ味は上段の箱、塩味は中段の箱、付け合わせは下段の箱と別々に入れることもできるので、従来の焼き鳥容器のように仕切りをせずに同一箱に入れて味が混じってしまうことを防止できる。
【図面の簡単な説明】
【０００８】
【図１】本発明の焼き鳥箱の一実施例を示す組み立て概略斜視図である。
【図２】本発明の焼き鳥箱の一実施例を示す展開平面図である。
【図３】本発明の焼き鳥箱を２段重ねにして完成した状態を示す概略斜視図である。
【図４】図３における焼き鳥箱の組み立て途中を示す概略斜視図である。
【図５】本発明の焼き鳥箱の２段重ね状態の場合の焼き鳥及び付け合わせのキャベツ類の収納状態の一例を示す概略断面図である。
【図６】本発明の焼き鳥箱における焼き鳥及び付け合わせのキャベツ類の各種収納状態を示す概略断面図である。
【発明を実施するための形態】
【０００９】
１枚の板紙、またはプラスチック板によって四側板、底板、蓋板、取手部を形成し、折り曲げ、嵌め合わせて結合して形成する焼き鳥箱において、一端片に接着剤で貼着できるように結合片を設け、罫線を介して折り曲げ矩形状にして中空状四側板で胴部を形成し、前記四側板の一方の対向する四側板の２片に折り曲げ用罫線を介して連続して略矩形のフラップを形成し、該フラップの略中央部に略台形の切り欠き部を設けた底板を形成し、他の対向する四側板の２片に折り曲げ用罫線を介して略台形の底用フラップを連続して設けて罫線で折り曲げ、前記切り欠き部の両側に形成した突出片を前記略台形の底用フラップを挿し込み、組み付けることにより底を形成し、さらに蓋板は前記四側板に連続して一部切り抜いて形成した切り抜き部材と取手部を形成し、該取手部には両側に係止フラップを形成し、折り曲げ組み付ける際に、前記係止フラップが挿入係止できるように、前記略台形の底用フラップと四側板を挟んで対向する部位に設けた略台形の係止片に切り目を形成し、該切れ目に前記係止フラップを挿入して固定する焼き鳥箱である。
【実施例１】
【００１０】
以下、本発明の焼き鳥箱の一実施例を図面に基づいて説明する。
図１は、本発明に係る焼き鳥箱を示す組み立て斜視図である。
本発明に係る焼き鳥箱１は、組み立て式で、底板、蓋板、取手部と表面四側板からなり、表面四側板には広告文、製造元、消費期限日等を印刷したり、広告等を印刷したシールを貼れるようになっている中空状の箱である。
表面四側板２は、罫線８を介して折り曲げ矩形状にし、一端片４に連続して設けた糊貼りできるようにした結合片３を有していて、この結合片３で他端片５に貼り付け、四角形柱状に結合して、胴部Ａを形成する。
底板６は、図２の展開図で示すように略矩形のフラップを形成し、該フラップの略中央部に略台形の切り欠き部７を有する。この底板６を形成する底フラップ１４を一方の対向する四側板２の２片に折り曲げ用罫線８を介して連続させて設け、他方の対向する四側板２の２片に罫線８を介して、略台形の底用フラップ１１を連続させて設け、これを罫線８で折り曲げ、底板６を組み付けて成るものである。
この組み付けは、前記切り欠き部７の両側に形成されている一方の突出片９、他方の突出片１０を交互に他の底フラップ１４の切り欠き部７に、前記略台形の底用フラップ１１を挿し込むようにして組み付けるものである。
なお、切り欠き部７の側部に形成されている他方の突出片１０は、折り曲げを簡易にするためのミシン目等の不連続に点々状に穿設した穴１２を形成したり、罫線を形成して前記略台形の底用フラップ１１と直接接着固定するものである。
さらに、蓋板１３は、前記四側板２に連続して設けた底フラップ１４を設けた四側板２の上部に折り曲げ用罫線１５とその罫線１５の中央部に切れ目１６を形成して、連続して蓋板１３を形成したものである。この蓋板１３と対向して設けた一端片４が連設されている部分に前記した切れ目１６で、係止片１７を形成し、焼き鳥箱１を重ねた際に係止用の係止片１７としての役目を奏するものである。
さらに、前記蓋板１３に連設して一部切り抜いて形成した切り抜き部材１９を有して取手部１８を形成したものである。また、重ねた際に係止片１７が挿入できるような切り込み部２４を形成する。
なお、必要に応じて左右折り曲げて蓋板１３の略中央部に蒸気抜き用の穴２０を穿設することもできる。
さらに、四側板２の他の対向する他端片５に罫線８を介して折り曲げ易くして連設した係止片２２を設け、蓋板１３、取手部１８を折り曲げ、箱を組み立て形成した際、係止できるように焼き鳥箱１の原材料である、例えば紙板の２片を重ねた状態でこの２片の厚みより若干厚い切り込み部２１を略中央部に形成した係止片２２を設けたもので、この係止片２２の略中央部に形成した切り込み部２１に、前記蓋板１３に連設して設けた取手部１８の両側の係止フラップ２３を挿入して固定するものである。
【００１１】
次に、図３、図４に基づいて重ねた焼き鳥箱１について説明する。
これは前記図１、図２で説明した焼き鳥箱１を利用して２段重ねしたものであるが、同様に次々と３段重ね、４段重ねにすることも可能であることはいうまでもない。
最上段になる焼き鳥箱１を図１に示すように組み立て、次に下段の焼き鳥箱１を四側板２、底板６を組み付け、この下段の焼き鳥箱１における四側板２の対向する一端片４、すなわち取手部１８を設けた２つの一端片４を取手部１８と一緒に外側に折り曲げ開いて最上段の焼き鳥箱１を重ね、取手部１８を内側に折り畳み、取手部１８に形成した前記切り抜き部１９を利用して、最上段の焼き鳥箱１の蓋板１３と一端片４との連設部に形成した切れ目１６に挿し込み係止し、さらに最上段の焼き鳥箱１の前記切れ目１６によって形成されている係止片１７を前記切り込み部２４に挿入して係止するものである。
【００１２】
次に、図５、図６はパッケージパターンの一例を示すもので、図５は２段に重ねた焼き鳥箱１であって、下段の焼き鳥箱１には付け合わせのキャベツ類を、上段の焼き鳥箱１には塩味の焼き鳥、タレ味の焼き鳥を収納したパッケージパターンを示す。
図６に示したパッケージパターンは、（ａ）は付け合わせのキャベツ類とタレ味の焼き鶏を収納した１段の焼き鳥箱、（ｂ）は付け合わせのキャベツ類と塩味の焼き鳥、タレ味の焼き鳥を収納した焼き鳥箱、（ｃ）は下段に付け合わせのキャベツ類、焼き鳥の塩味、タレ味の本数が相違する場合の塩味の焼き鳥とタレ味の焼き鳥を収納したパッケージパターンを示すものである。
なお、このパッケージパターンは販売量に合わせて種々変えることができ、例えば、塩味の焼き鳥、タレ味の焼き鳥、付け合わせのキャベツ類をそれぞれ別の焼き鳥箱１に収納し、重ね合わせて、仕切りを使用せずに焼き鳥の味が混ざってしまうのを防止するパッケージパターンなど、様々なパッケージパターンが考えられることはいうまでもない。
【産業上の利用可能性】
【００１３】
強度、保形、組み立てに都合よくするために底板の一部を相互間で接着剤等で貼着しても良いが、貼着しなくても良いことは言うまでもない。収納できる大きさの物品であれば極めて広範囲なものに利用可能となるものである。
【符号の説明】
【００１４】
１・・・・焼き鳥箱
２・・・・四側板
３・・・・結合片
４・・・・一端片
５・・・・他端片
６・・・・底板
７・・・・切り欠き部
８・・・・罫線
９・・・・一方の突出片
１０・・・・他方の突出片
１１・・・・略台形の底用フラップ
１２・・・・穴
１３・・・・蓋板
１４・・・・底フラップ
１５・・・・罫線
１６・・・・切れ目
１７・・・・係止片
１８・・・・取手部
１９・・・・切り抜き部材
２０・・・・蒸気抜き穴
２１・・・・切り込み部
２２・・・・係止片
２３・・・・係止フラップ
２４・・・・切り込み部
Ａ・・・・胴部
【図１】
2012166813.tif 000003
【図２】
2012166813.tif 000004
【図３】
2012166813.tif 000005
【図４】
2012166813.tif 000006
【図５】
2012166813.tif 000007
【図６】
2012166813.tif 000008